(57)【要約】【課題】定着部での紙詰まり解消操作時に未定着トナーが定着面に付着しても、定着動作の再開時に、用紙の汚れや紙詰まりを生じ難くする。【解決手段】定着面５と押圧面７との間に挟持した用紙３を、未定着トナーを定着させながら搬送可能に構成し、用紙を定着面から分離可能な分離板１６を定着体の下流側に設け、定着面又は押圧面に付着しているトナーを除去可能なクリーニング部を設け、定着部での紙詰まり検出で定着動作を停止させるように構成してあり、分離板を定着面に対して遠近方向に往復移動自在な分離板移動機構１９と、定着部での紙詰まり解消操作の開始情報検出部と、定着部の定着動作の再開情報検出部と、紙詰まり解消操作の開始情報検出結果に基づいて、分離板を定着面側から離間させ、定着動作の再開情報検出結果に基づいて、定着部による定着動作の再開時から設定時間が経過すると、分離板を定着面側に復帰移動させる制御部とを設けてある。【選択図】図２
2007232877.tif 000002
【特許請求の範囲】
【請求項１】
定着面を備えた定着体と、前記定着面に向けて押圧される押圧面を備えた押圧体とを夫々回動自在に設けて、前記定着面と前記押圧面との間に挟持した用紙を、その用紙の定着側紙面に担持させてある未定着トナーを定着させながら搬送可能な定着部を構成し、
前記用紙を前記定着面から分離可能な分離板を、用紙搬送方向で前記定着体よりも下流側に設けるとともに、前記定着面又は前記押圧面に付着しているトナーを除去可能なクリーニング部を設け、
前記定着部における紙詰まりの検出結果に基づいて、前記定着部による定着動作を停止させるように構成してある画像形成装置の定着装置であって、
前記分離板を前記定着面に対して遠近方向に往復移動自在な分離板移動機構と、
前記定着部における紙詰まり解消操作の開始情報を検出可能な解消操作開始情報検出部と、
前記定着部による定着動作の再開情報を検出可能な定着動作再開情報検出部と、
前記解消操作開始情報検出部による紙詰まり解消操作の開始情報検出結果に基づいて、前記分離板が前記定着面側から離間するように前記分離板移動機構を作動させ、前記定着動作再開情報検出部による定着動作の再開情報検出結果に基づいて、前記定着部による定着動作の再開時から設定時間が経過すると、前記分離板が前記定着面側に復帰移動するように前記分離板移動機構を作動させる制御部とを設けてある画像形成装置の定着装置。
【請求項２】
前記クリーニング部を、前記定着面に付着したトナーを除去可能に設けてある請求項１記載の画像形成装置の定着装置。
【発明の詳細な説明】
【技術分野】
【０００１】
本発明は、定着面を備えた定着体と、前記定着面に向けて押圧される押圧面を備えた押圧体とを夫々回動自在に設けて、前記定着面と前記押圧面との間に挟持した用紙を、その用紙の定着側紙面に担持させてある未定着トナーを定着させながら搬送可能な定着部を構成し、前記用紙を前記定着面から分離可能な分離板を、用紙搬送方向で前記定着体よりも下流側に設けるとともに、前記定着面又は前記押圧面に付着しているトナーを除去可能なクリーニング部を設け、前記定着部における紙詰まりの検出結果に基づいて、前記定着部による定着動作を停止させるように構成してある画像形成装置の定着装置に関する。
【背景技術】
【０００２】
上記画像形成装置の定着装置は、用紙を定着面から分離可能な分離板を用紙搬送方向で定着体よりも下流側に設けてあるので、用紙を定着面に巻き込んでしまうようなおそれが少なく、また、定着面又は押圧面に付着しているトナーを除去可能なクリーニング部を設けてあるので、定着部を通過する用紙に余分なトナーが付着するようなおそれも少ないが、分離板を定着面に摺接させるように設けると形成画像に筋や色むらが生じ易いので、従来、用紙を定着面から確実に分離できるようにしながら、分離板が定着面に対して接触しないように、分離板先端と定着面との間隔が極力狭くなるように分離板を固定してある（例えば、特許文献１参照）。
また、定着部における紙詰まりの検出結果に基づいてその定着部による定着動作を停止させるように構成してあるので、紙詰まりを起こしている用紙には未定着トナーが大量に残っているおそれがあり、その詰まった用紙を定着部から取り除く紙詰まり解消操作を行う際に、用紙の未定着トナーが定着面に接触して、通常の運転時に比べて大量のトナーが定着面に付着し易い。
【０００３】
【特許文献１】特開２００３−２８０４４０号公報
【発明の開示】
【発明が解決しようとする課題】
【０００４】
このため、大量のトナーが定着面に付着している状態で、新たに供給される用紙に対する定着動作を再開すると、定着面に付着していたトナーが分離板や押圧面に載り移って、分離板や押圧面に接触した用紙を汚してしまうおそれがあるとともに、分離板に付着した大量のトナーが固まってしまうと、その固まり部分に用紙が引っ掛かって紙詰まりの原因になるおそれもある。
本発明は上記実情に鑑みてなされたものであって、定着部における紙詰まり解消操作を行う際に、用紙の未定着トナーが定着面に付着しても、定着動作の再開時に、用紙の汚れや紙詰まりが生じ難い画像形成装置の定着装置を提供することを目的とする。
【課題を解決するための手段】
【０００５】
本発明の第１特徴構成は、定着面を備えた定着体と、前記定着面に向けて押圧される押圧面を備えた押圧体とを夫々回動自在に設けて、前記定着面と前記押圧面との間に挟持した用紙を、その用紙の定着側紙面に担持させてある未定着トナーを定着させながら搬送可能な定着部を構成し、前記用紙を前記定着面から分離可能な分離板を、用紙搬送方向で前記定着体よりも下流側に設けるとともに、前記定着面又は前記押圧面に付着しているトナーを除去可能なクリーニング部を設け、前記定着部における紙詰まりの検出結果に基づいて、前記定着部による定着動作を停止させるように構成してある画像形成装置の定着装置であって、前記分離板を前記定着面に対して遠近方向に往復移動自在な分離板移動機構と、前記定着部における紙詰まり解消操作の開始情報を検出可能な解消操作開始情報検出部と、前記定着部による定着動作の再開情報を検出可能な定着動作再開情報検出部と、前記解消操作開始情報検出部による紙詰まり解消操作の開始情報検出結果に基づいて、前記分離板が前記定着面側から離間するように前記分離板移動機構を作動させ、前記定着動作再開情報検出部による定着動作の再開情報検出結果に基づいて、前記定着部による定着動作の再開時から設定時間が経過すると、前記分離板が前記定着面側に復帰移動するように前記分離板移動機構を作動させる制御部とを設けてある点にある。
【０００６】
〔作用及び効果〕
分離板を定着面に対して遠近方向に往復移動自在な分離板移動機構と、定着部における紙詰まり解消操作の開始情報を検出可能な解消操作開始情報検出部と、定着部による定着動作の再開情報を検出可能な定着動作再開情報検出部とを設けて、解消操作開始情報検出部による紙詰まり解消操作の開始情報検出結果に基づいて、分離板が定着面側から離間するように分離板移動機構を作動させ、定着動作再開情報検出部による定着動作の再開情報検出結果に基づいて、定着部による定着動作の再開時から設定時間が経過すると、分離板が定着面側に復帰移動するように分離板移動機構を作動させるので、紙詰まり解消操作の開始情報検出時から、定着部による定着動作の再開時から設定時間が経過するまで、つまり、定着動作の再開によって定着体と押圧体とが設定時間に亘って回動するまでは、分離板が定着面側から離間している。
従って、定着部における紙詰まり解消操作を行う際に用紙の未定着トナーが定着面に付着しても、それらの未定着トナーが定着動作の再開時に分離板に載り移り難いとともに、その定着面に付着している未定着トナーや、定着面から押圧面に載り移った未定着トナーを、定着体と押圧体とが設定時間に亘って回動している間にクリーニング部で除去することができるようになり、定着動作の再開時に、用紙の汚れや紙詰まりが生じ難い。
【０００７】
本発明の第２特徴構成は、前記クリーニング部を、前記定着面に付着したトナーを除去可能に設けてある点にある。
【０００８】
〔作用及び効果〕
定着面に付着したトナーを、定着体が設定時間に亘って回動している間に除去することができる。
【発明を実施するための最良の形態】
【０００９】
以下に本発明の実施の形態を図面に基づいて説明する。
図１は、本発明による定着装置Ａを備えた電子写真式画像形成装置の一例としてのカラーレーザープリンタを示し、給紙トレイ１と排紙トレイ２とに亘る用紙３の挟持搬送経路４に沿って、定着装置Ａと複数の画像転写ユニットＢとを設けてある。
【００１０】
前記定着装置Ａは、図２，図３にも示すように、定着面５を外周面に形成してある定着体としての円筒状の定着ローラ６と、定着面５に向けて弾性的に押圧される押圧面７を外周面に形成してある押圧体としての円筒状の押圧ローラ８とを夫々駆動回動自在に設けるとともに、定着ローラ６と押圧ローラ８の内側の夫々にヒータ９を設けて定着部を構成し、定着面５に付着している未定着トナーなどを除去するクリーニング装置１０と、押圧面７に付着している未定着トナーなどを除去するクリーニングローラ１１とを備えたクリーニング部と、定着面５の温度を検出するサーミスタ１２とを設けてある。
【００１１】
前記押圧ローラ８を挟んで用紙搬送方向の前後位置に、定着面５と押圧面７との間の定着ニップ部１３を通過する用紙３の搬送姿勢をその下面側から案内するガイド部材１４を設け、定着ニップ部１３を通過した用紙部分の定着側紙面１５が定着面５に張り付いたようなときに、その用紙３を定着面５から分離可能な分離板１６を、用紙搬送方向で定着ローラ６よりも下流側に設けてある。
【００１２】
前記分離板１６は、左右両側に折り起こした支持用舌片１７を機枠側に回動自在に支持して、揺動軸芯Ｘ周りで上下揺動自在に設けてあり、定着ローラ６の外周面のうちの、用紙３を挟持しない回動軸芯方向左右両側の非通紙領域に夫々接当させる左右一対の接当部１８を設けて、各接当部１８をその非通紙領域に接当させることにより、その先端部を定着面５から０．１〜１．０ｍｍ程度の一定間隔で離間させて保持できるように構成してあり、分離板１６を定着面５に対して遠近方向に往復移動自在な分離板移動機構１９を設けてある。
【００１３】
前記分離板移動機構１９は、分離板１６が上向きに揺動して各接当部１８が定着ローラ６に接当するように引っ張りスプリング２０で弾性付勢するとともに、引っ張りスプリング２０の付勢力に抗して分離板１６を下向きに強制揺動させるソレノイド２１を設けて構成してある。
【００１４】
そして、ヒータ９に通電するとともに、定着ローラ６と押圧ローラ８を駆動回動させる定着部による定着動作で、定着ニップ部１３に挟んだ用紙３を、その用紙３の定着側紙面１５に担持させてある未定着トナーを加圧加熱して定着させながら搬送可能に構成し、図４に示すように、定着部の作動を制御する制御部２２を設けてある。
【００１５】
前記制御部２２は、定着部における紙詰まりを検出する紙詰まり検出部２３と、定着部における紙詰まり解消操作の開始情報を、定着部を覆っているカバーの開放動作や定着部の駆動用電源の遮断操作などに基づいて検出する解消操作開始情報検出部２４と、定着部による定着動作の再開情報を、定着部を覆っているカバーの閉じ動作や定着部の駆動用電源の投入操作，定着部上流側での用紙の検出などに基づいて検出する定着動作再開情報検出部２５との夫々から入力される検出情報に基づいて、定着部の作動を制御するように構成してある。
【００１６】
そして、紙詰まり検出部２３による紙詰まりの検出結果に基づいて、定着部による定着動作を停止させ、解消操作開始情報検出部２４による紙詰まり解消操作の開始情報検出結果に基づいてソレノイド２１に通電して、図３に示すように、分離板１６の先端部が定着面５側から離間するように分離板移動機構１９を作動させ、定着動作再開情報検出部２５による定着動作の再開情報検出結果に基づいて、定着部による定着動作の再開時から、新たな用紙３が定着ニップ部１３に侵入するまでの設定時間、或いは、定着ローラ６が少なくとも一回転する設定時間が経過すると、定着面５や押圧面７に付着している未定着トナーなどがクリーニング部で除去されたと判断して、ソレノイド２１への通電を停止し、図２に示すように、分離板１６が引っ張りスプリング２０の付勢力で定着面５側に復帰移動するように分離板移動機構１９を作動させる。
【００１７】
〔第２実施形態〕
図５は、本発明による画像形成装置の定着装置の別実施形態を示し、ヒータ９を内装してある筒状の駆動ローラ２６と従動ローラ２７とに亘って巻き掛けた無端帯状体で定着体６を構成して、その外周面側を定着面５に形成し、定着体６の従動ローラ２７への巻き掛け部分に定着ニップ部１３を設け、定着面５に付着している未定着トナーなどを駆動ローラ２６への巻き掛け部分で除去するクリーニング装置１０を設けてある。
その他の構成は第１実施形態と同様である。
【００１８】
〔その他の実施形態〕
１．本発明による画像形成装置の定着装置は、駆動回動自在な無端帯状体で押圧体を構成して、その外周面側を押圧面に形成してあっても良い。
２．本発明による画像形成装置の定着装置は、モノクロのトナー画像を定着させるものであっても良い。
３．本発明による画像形成装置の定着装置は、定着面をクリーニングするクリーニング装置のみを備えたクリーニング部を設けてあっても良い。
４．本発明は、複写機やファックスなどの画像形成装置の定着装置であっても良い。
【図面の簡単な説明】
【００１９】
【図１】カラーレーザープリンタの内部を示す概略側面図
【図２】定着装置の側面図
【図３】定着装置の側面図
【図４】ブロック図
【図５】第２実施形態を示す定着装置の側面図
【符号の説明】
【００２０】
３  用紙
５  定着面
６  定着体
７  押圧面
８  押圧体
１５  定着側紙面
１６  分離板
１９  分離板移動機構
２２  制御部
２４  解消操作開始情報検出部
２５  定着動作再開情報検出部
【図１】
2007232877.tif 000003
【図２】
2007232877.tif 000004
【図３】
2007232877.tif 000005
【図４】
2007232877.tif 000006
【図５】
2007232877.tif 000007